(57)【要約】【課題】一台のＩＰ電話機が同時に複数構内交換機配下の内線電話機として、または同一構内交換機配下で同時に複数の内線電話機として動作可能とする。【解決手段】ＩＰアドレスレコード部は、第１、第２の構内交換機のＩＰアドレスを、端末情報レコード部は、第１、第２の構内交換機配下の内線電話機として動作するために必要な端末情報をＩＰアドレスに関連付けて記憶する。ＩＰ電話機は第１、第２の構内交換機毎に、制御信号リンクを介してＩＰアドレスと端末情報に含まれている第１、第２の構内交換機配下の内線電話機を指定する内線番号とを含む制御信号を送信し、第１、第２の構内交換機配下の内線電話機への切り替えを要求する。ＩＰ電話機は、第１、第２の構内交換機から、内線電話機の電話番号を含むリソース予約情報を受信し、端末情報レコード部に電話番号を書き込み、第１、第２の構内交換機配下の内線電話機として動作する。【選択図】      図１
2004235922.tif 000002
【特許請求の範囲】
【請求項１】
複数の第１の内線電話機を収容する第１の構内交換機と、複数の第２の内線電話機を収容する第２の構内交換機と、ＩＰ電話機とがＩＰネットワークを介して接続され、前記ＩＰ電話機は、第１、第２の構内交換機のＩＰアドレスを記憶するＩＰアドレスレコード部と、第１、第２の構内交換機配下の内線電話機として動作するために必要な端末情報を前記ＩＰアドレスに関連付けて記憶する端末情報レコード部と、第１、第２の構内交換機との間に個別の制御信号リンクを接続する手段と、第１、第２の構内交換機毎に、前記制御信号リンクを介して前記ＩＰアドレスと前記端末情報に含まれている第１、第２の構内交換機配下の内線電話機を指定する内線番号とを含む制御信号を送信し、第１、第２の構内交換機配下の内線電話機への切り替えを要求する手段と、第１、第２の構内交換機から、前記切り替え要求に対する応答情報である前記内線電話機の電話番号を含むリソース予約情報を受信したとき、前記端末情報レコード部に前記電話番号を書き込む手段とを備え、第１、第２の構内交換機は、前記ＩＰ電話機からの切り替え要求に応答し、前記制御信号で指定された前記内線番号の前記内線電話機の使用状態から使用可否を識別し、使用可であれば前記内線番号に対応するリソースを予約し、前記制御信号リンクを介して前記ＩＰ電話機に対し、前記指定された前記内線番号を含む前記リソース予約情報を送信する手段を備え、前記ＩＰ電話機が第１、第２の構内交換機配下の内線電話機として動作することを特徴とするＩＰ電話機による内線サービス方式。
【請求項２】
ＩＰネットワークを介して第１、第２の構内交換機と接続する前記ＩＰ電話機は、複数であることを特徴とする請求項１記載のＩＰ電話機による内線サービス方式。
【請求項３】
複数の第１の内線電話機を収容する第１の構内交換機と、複数の第２の内線電話機を収容する第２の構内交換機と、ＩＰ電話機とがＩＰネットワークを介して接続され、前記ＩＰ電話機は、前記ＩＰネットワークに接続するための物理インタフェース部と、前記物理インタフェース部を制御する物理インタフェース制御部と、第１、第２の構内交換機との間で制御信号リンクを介して授受される制御信号を処理する制御信号処理部と、第１、第２の構内交換機のＩＰアドレスを記憶するＩＰアドレスレコード部と、第１、第２の構内交換機配下の内線電話機として動作するために必要な端末情報を記憶する端末情報レコード部と、使用者に対し各種情報を表示して知らしめる表示部と、使用者が操作して各種情報を入力する入力部と、呼制御や音声パケットを処理しＩＰ電話機として動作するために必要な制御手段および装置をすべて備えるＩＰ電話機能部とを有することを特徴とする請求項１、２記載のＩＰ電話機による内線サービス方式。
【請求項４】
前記端末情報レコード部は、第１、第２の構内交換機が収容する第１、第２の全内線電話機数の任意１つまたは複数の内線電話機の内線番号対応に前記端末情報を保持し、前記端末情報は少なくとも通話中やトーン情報などの呼状態情報および表示情報を含む付加情報とを含むことを特徴とする請求項１乃至３記載のＩＰ電話機による内線サービス方式。
【請求項５】
ＩＰアドレスレコードに格納する複数の構内交換機のＩＰアドレスに予め優先順位を付与すると共に、端末情報レコード部に格納する構内交換機が個々に収容する内線番号に予め優先順位を付与することにより、ＩＰ電話機からの発信時およびＩＰ電話機への着信時における被制御構内交換機または内線番号の切り替え制御を自動的に行うことを特徴とする請求項１乃至４記載のＩＰ電話機による内線サービス方式。
【請求項６】
複数の第１の内線電話機を収容する第１の構内交換機と、複数の第２の内線電話機を収容する第２の構内交換機と、ＩＰ電話機とがＩＰネットワークを介して接続され、前記ＩＰ電話機を第１、第２の構内交換機の配下に収容するための方法であって、使用者が入力する第１の構内交換機のＩＰアドレスと第１の構内交換機が収容する第１の内線電話機の任意の内線番号とを受け、前記ＩＰアドレスをＩＰアドレスレコード部に格納し、前記ＩＰアドレスに関連付けて前記内線番号を端末情報レコード部に格納する第１のステップと、前記使用者が入力する第２の構内交換機のＩＰアドレスと第２の構内交換機が収容する第２の内線電話機の任意の内線番号とを受け、前記ＩＰアドレスを前記ＩＰアドレスレコード部に格納し、前記ＩＰアドレスに関連付けて前記内線番号を前記端末情報レコード部に格納する第２のステップと、前記使用者の入力操作により第１の構内交換機との間に制御信号リンクを接続し前記ＩＰアドレスレコード部に格納した第１の構内交換機のＩＰアドレスと前記端末情報レコード部に格納した第１の構内交換機配下の第１の内線電話機の内線番号とを含む制御信号を第１の構内交換機へ送信し前記ＩＰ電話機を第１の構内交換機配下の内線電話機とするよう切り替え要求する第３のステップと、前記切り替え要求に対し第１の構内交換機から前記制御信号リンクを介して返送される前記内線番号を含むリソース予約情報を受信し前記内線番号が使用可能か否かを判定する第４のステップと、第４のステップにおける判定結果が使用可のとき前記電話番号を前記端末情報レコード部に格納し、前記ＩＰ電話機を第１の構内交換機配下の内線使用可能状態に遷移する第５のステップと、第２の構内交換機との間に制御信号リンクを接続し前記ＩＰアドレスレコード部に格納した第２の構内交換機のＩＰアドレスと前記端末情報レコード部に格納した第２の構内交換機配下の第２の内線電話機の内線番号とを含む制御信号を第２の構内交換機へ送信し前記ＩＰ電話機を第２の構内交換機配下の内線電話機とするよう切り替え要求する第６のステップと、前記切り替え要求に対し第２の構内交換機から前記制御信号リンクを介して返送される前記内線番号を含むリソース予約情報を受信し前記内線番号が使用可能か否かを判定する第７のステップと、第７のステップにおける判定結果が使用可のとき前記電話番号を前記端末情報レコード部に格納し、前記ＩＰ電話機を第２の構内交換機配下の内線使用可能状態に遷移する第８のステップとから成るＩＰ電話機の内線登録処理を有することを特徴とするＩＰ電話機による内線サービス方法。
【請求項７】
複数の第１の内線電話機を収容する第１の構内交換機と、複数の第２の内線電話機を収容する第２の構内交換機と、ＩＰ電話機とがＩＰネットワークを介して接続され、第１、第２の構内交換機配下の内線電話機として動作可能な前記ＩＰ電話機から第１、第２の構内交換機配下の第１の内線電話機または第２の内線電話機に対する発信するための方法であって、前記ＩＰ電話機が具備する入力部から入力される第１の構内交換機（第２の構内交換機）を被制御構内交換機とするための切り替え操作を検出したとき、前記端末情報レコード部から第１の構内交換機（第２の構内交換機）配下の前記内線番号を読み出し具備する表示部に表示する第９のステップと、前記ＩＰアドレスレコード部から第１の構内交換機（第２の構内交換機）のＩＰアドレスを読み出し、制御信号の送信先を第１の構内交換機（第２の構内交換機）へ切り替える第１０のステップと、前記入力部による発呼操作を受け第１０のステップで切り替えた制御信号リンク介して第１の構内交換機（第２の構内交換機）の前記ＩＰアドレスと第１の構内交換機（第２の構内交換機）配下の前記内線電話機の内線番号を含む制御信号を送信する第１１のステップと、第１の構内交換機（第２の構内交換機）から受信した呼び出し中を示す制御信号のＩＰアドレスと前記ＩＰアドレスレコード部に格納されているＩＰアドレスとを照合し、受信した制御信号の送信元が第１の構内交換機（第２の構内交換機）であることを認識し、第１の構内交換機（第２の構内交換機）配下の内線電話機としての所定の処理を行い、その結果を前記端末情報レコード部に反映する第１２のステップと、第１の構内交換機（第２の構内交換機）から前記制御信号リンクを介して受信した第１の構内交換機（第２の構内交換機）配下の内線電話機の応答を示す制御信号のＩＰアドレスと前記ＩＰアドレスレコード部に格納されているＩＰアドレスとを照合し、受信した制御信号の送信元が第１の構内交換機（第２の構内交換機）であることを認識し、第１の構内交換機（第２の構内交換機）配下の内線電話機のとしての所定の処理を行い、その結果を前記端末情報レコード部に反映する第１３のステップとから成るＩＰ電話機の発呼処理を有することを特徴とする請求項６記載のＩＰ電話機による内線サービス方法。
【請求項８】
複数の第１の内線電話機を収容する第１の構内交換機と、複数の第２の内線電話機を収容する第２の構内交換機と、ＩＰ電話機とがＩＰネットワークを介して接続され、第１、第２の構内交換機配下の内線電話機として動作可能な前記ＩＰ電話機と第１の構内交換機（第２の構内交換機）配下の第１の内線電話機（第２の内線電話機）と通話中に、第２の構内交換機（第１の構内交換機）配下の第２の内線電話機（第１の内線電話機）からの着信を処理するための方法であって、前記ＩＰ電話機が第２の構内交換機（第１の構内交換機）から前記制御信号リンク介して受信した、第２の構内交換機（第１の構内交換機）配下の第２の内線電話機（第１の内線電話機）の発呼要求に伴う着信信号のＩＰアドレスと前記ＩＰアドレスレコード部に格納されているＩＰアドレスとを照合し、着信信号の送信元が第２の構内交換機（第１の構内交換機）であることを認識し、前記着信信号から発信元の第２の内線電話機（第１の内線電話機）の内線番号を抽出し前記端末情報レコード部を更新する第１４のステップと、呼び出し音を報音することなく具備する表示部に着信表示する第１５のステップと、具備する入力部からの保留操作を受けて通話中の第１の内線電話機（第２の内線電話機）を収容する第１の構内交換機（第２の構内交換機）配下の第１の内線電話機の内線番号として前記端末情報レコード部に保存し、前記ＩＰアドレスレコード部から読み出した第１の構内交換機（第２の構内交換機）のＩＰアドレスを付与した保留信号を前記制御信号リンクを介して第１の構内交換機（第２の構内交換機）へ送信し第１の内線電話機との通話状態を保留状態に遷移させる第１６のステップと、保留処理完了後前記表示部に保留状態である旨を表示し、前記入力部からの保留操作情報を受けて前記端末情報レコード部を更新し、前記ＩＰアドレスレコード部から読み出したＩＰアドレスを付与した制御信号を前記制御信号リンクを介して第２の構内交換機（第１の構内交換機）へ応答信号を送信し、第２の内線電話機（第１の内線電話機）との通話を確立させる第１７のステップとから成る割り込み着信処理を備えることを特徴とする請求項６、７記載のＩＰ電話機による内線サービス方法。
【発明の詳細な説明】
【０００１】
【発明の属する技術分野】
本発明は、構内交換機に収容するＩＰ電話機による内線サービスとその方法に関し、特にＩＰ電話機を複数の構内交換機に収容可能とすることにより、一台のＩＰ電話機を複数の構内交換機で同時に使用することが可能な内線サービスに関する。
【０００２】
【従来の技術】
従来の構内交換方式では、内線電話機を予め物理的に決められた収容位置に接続することにより音声交換を実現している。
【０００３】
また、インターネットもしくはＬＡＮに接続された電話機を構内交換機の内線として登録する場合、その内線に構内交換機内でユニークな内線番号を登録して使用している。
【０００４】
従って、インターネットに電話機を内線電話機として接続した場合、上記のようにその内線に構内交換機内でユニークな内線番号を登録する必要があることから、既に使用している構内交換機の内線電話機の代わりとして使用することができず、構内交換機の内線にて設定しているサービス毎の設定を引き継いで使用することができないという課題があった。
【０００５】
このような課題を解決するために、インターネット上に接続した内線電話機を構内交換機に直接収容されている内線電話機の各種設定を引き継いで切り替え可能とすることにより、いかなる場所においてもインターネットにさえ接続可能であれば、自オフィスにおける内線から制御を切り替えて代わりの内線として利用することが可能となる内線制御システムが、例えば特開２００１−１６９３２１号公報に開示されている。
【０００６】
この構内交換機に収容されるＩＰ電話機の切り替え動作を特徴とする内線制御システムは、ＩＰプロトコルを具備し該通信方式によりインターネットに接続可能な電話機に、構内交換機のＩＰアドレスを記憶する手段と、構内交換機のＩＰアドレスに対して識別情報を指定して接続要求を行う手段とを備え、ＩＰプロトコルを具備し該当通信方式によりインターネットと接続している構内交換機に、電話機のＩＰアドレスと識別情報に基づく内線番号を対応づけて記憶する手段と、ＩＰアドレスと内線番号の対応付け結果に基づき、内線番号の内線電話機に対する制御信号および通話信号をＩＰアドレスで指定したアドレスに対して送信する手段とを備えることにより、一台のＩＰ電話機が構内交換機に収容されている内線電話機の識別情報を指定して該当する構内交換機に切り替え要求を行うことで複数の構内交換機にまたがり一台のＩＰ電話機を使用することを可能とする。
【０００７】
【特許文献１】
特開２００１−１６９３２１号公報  （第２−第５頁、図１−図５）
【０００８】
【発明が解決しようとする課題】
上述したように、従来技術として記載した内線制御システムにおける第１の問題点は、一台のＩＰ電話機が構内交換機に収容されている内線電話機の識別情報を指定して該当する構内交換機に切り替え要求を行うことで、複数の構内交換機にまたがり一台のＩＰ電話機を使用することを可能とするので、既存の内線電話機が存在しなければこれを行うことができない。
【０００９】
その理由は、構内交換機に収容されている既存内線電話機の識別情報を指定し、且つ既存内線電話機とＩＰ電話機の切り替え要求という形で構内交換機に対してＩＰ電話機の使用を要求するためである。
【００１０】
第２の問題点は、一台のＩＰ電話機が複数の構内交換機に収容されている内線電話機の識別情報を指定して該当する構内交換機に切り替え要求を行うことで、複数の構内交換機にまたがり一台のＩＰ電話機を使用することを可能とするので、同時に複数の構内交換機配下の内線として使用することができない。
【００１１】
その理由は、構内交換機に収容されている内線電話機の識別情報を指定することで構内交換機に切り替え要求を行うため、同時に複数の内線識別情報を指定する手段を持たないためである。
【００１２】
本発明の目的は、構内交換機に収容するＩＰ電話機において、ＩＰ電話機と構内交換機間のインタフェースの冗長構成をとることが可能であることにより、一台のＩＰ電話機が同時に複数構内交換機配下の内線電話機として動作、もしくは同一構内交換機配下で同時に複数の内線電話機として動作することを可能とすることで、ある構内音声網内に別の構内音声網配下の端末を混在させる内線サービスを可能とするものである。
【００１３】
【課題を解決するための手段】
本発明のＩＰ電話機による内線サービス方式は、複数の第１の内線電話機を収容する第１の構内交換機と、複数の第２の内線電話機を収容する第２の構内交換機と、ＩＰ電話機とがＩＰネットワークを介して接続され、前記ＩＰ電話機は、第１、第２の構内交換機のＩＰアドレスを記憶するＩＰアドレスレコード部と、第１、第２の構内交換機配下の内線電話機として動作するために必要な端末情報を前記ＩＰアドレスに関連付けて記憶する端末情報レコード部と、第１、第２の構内交換機との間に個別の制御信号リンクを接続する手段と、第１、第２の構内交換機毎に、前記制御信号リンクを介して前記ＩＰアドレスと前記端末情報に含まれている第１、第２の構内交換機配下の内線電話機を指定する内線番号とを含む制御信号を送信し、第１、第２の構内交換機配下の内線電話機への切り替えを要求する手段と、第１、第２の構内交換機から、前記切り替え要求に対する応答情報である前記内線電話機の電話番号を含むリソース予約情報を受信したとき、前記端末情報レコード部に前記電話番号を書き込む手段とを備え、第１、第２の構内交換機は、前記ＩＰ電話機からの切り替え要求に応答し、前記制御信号で指定された前記内線番号の前記内線電話機の使用状態から使用可否を識別し、使用可であれば前記内線番号に対応するリソースを予約し、前記制御信号リンクを介して前記ＩＰ電話機に対し、前記指定された前記内線番号を含む前記リソース予約情報を送信する手段を備え、前記ＩＰ電話機が第１、第２の構内交換機配下の内線電話機として動作することを特徴とする。
【００１４】
また、ＩＰネットワークを介して第１、第２の構内交換機と接続する前記ＩＰ電話機は、複数であることを特徴とする。
【００１５】
また、複数の第１の内線電話機を収容する第１の構内交換機と、複数の第２の内線電話機を収容する第２の構内交換機と、ＩＰ電話機とがＩＰネットワークを介して接続され、前記ＩＰ電話機は、前記ＩＰネットワークに接続するための物理インタフェース部と、前記物理インタフェース部を制御する物理インタフェース制御部と、第１、第２の構内交換機との間で制御信号リンクを介して授受される制御信号を処理する制御信号処理部と、第１、第２の構内交換機のＩＰアドレスを記憶するＩＰアドレスレコード部と、第１、第２の構内交換機配下の内線電話機として動作するために必要な端末情報を記憶する端末情報レコード部と、使用者に対し各種情報を表示して知らしめる表示部と、使用者が操作して各種情報を入力する入力部と、呼制御や音声パケットを処理しＩＰ電話機として動作するために必要な制御手段および装置をすべて備えるＩＰ電話機能部とを有することを特徴とする。
【００１６】
また、前記端末情報レコード部は、第１、第２の構内交換機が収容する第１、第２の全内線電話機数の任意１つまたは複数の内線電話機の内線番号対応に前記端末情報を保持し、前記端末情報は少なくとも通話中やトーン情報などの呼状態情報および表示情報を含む付加情報とを含むことを特徴とする。
【００１７】
また、ＩＰアドレスレコードに格納する複数の構内交換機のＩＰアドレスに予め優先順位を付与すると共に、端末情報レコード部に格納する構内交換機が個々に収容する内線番号に予め優先順位を付与することにより、ＩＰ電話機からの発信時およびＩＰ電話機への着信時における被制御構内交換機または内線番号の切り替え制御を自動的に行うことを特徴とする。
【００１８】
本発明のＩＰ電話機による内線サービス方法は、複数の第１の内線電話機を収容する第１の構内交換機と、複数の第２の内線電話機を収容する第２の構内交換機と、ＩＰ電話機とがＩＰネットワークを介して接続され、前記ＩＰ電話機を第１、第２の構内交換機の配下に収容するための方法であって、使用者が入力する第１の構内交換機のＩＰアドレスと第１の構内交換機が収容する第１の内線電話機の任意の内線番号とを受け、前記ＩＰアドレスをＩＰアドレスレコード部に格納し、前記ＩＰアドレスに関連付けて前記内線番号を端末情報レコード部に格納する第１のステップと、前記使用者が入力する第２の構内交換機のＩＰアドレスと第２の構内交換機が収容する第２の内線電話機の任意の内線番号とを受け、前記ＩＰアドレスを前記ＩＰアドレスレコード部に格納し、前記ＩＰアドレスに関連付けて前記内線番号を前記端末情報レコード部に格納する第２のステップと、前記使用者の入力操作により第１の構内交換機との間に制御信号リンクを接続し前記ＩＰアドレスレコード部に格納した第１の構内交換機のＩＰアドレスと前記端末情報レコード部に格納した第１の構内交換機配下の第１の内線電話機の内線番号とを含む制御信号を第１の構内交換機へ送信し前記ＩＰ電話機を第１の構内交換機配下の内線電話機とするよう切り替え要求する第３のステップと、前記切り替え要求に対し第１の構内交換機から前記制御信号リンクを介して返送される前記内線番号を含むリソース予約情報を受信し前記内線番号が使用可能か否かを判定する第４のステップと、第４のステップにおける判定結果が使用可のとき前記電話番号を前記端末情報レコード部に格納し、前記ＩＰ電話機を第１の構内交換機配下の内線使用可能状態に遷移する第５のステップと、第２の構内交換機との間に制御信号リンクを接続し前記ＩＰアドレスレコード部に格納した第２の構内交換機のＩＰアドレスと前記端末情報レコード部に格納した第２の構内交換機配下の第２の内線電話機の内線番号とを含む制御信号を第２の構内交換機へ送信し前記ＩＰ電話機を第２の構内交換機配下の内線電話機とするよう切り替え要求する第６のステップと、前記切り替え要求に対し第２の構内交換機から前記制御信号リンクを介して返送される前記内線番号を含むリソース予約情報を受信し前記内線番号が使用可能か否かを判定する第７のステップと、第７のステップにおける判定結果が使用可のとき前記電話番号を前記端末情報レコード部に格納し、前記ＩＰ電話機を第２の構内交換機配下の内線使用可能状態に遷移する第８のステップとから成るＩＰ電話機の内線登録処理を有することを特徴とする。
【００１９】
また、複数の第１の内線電話機を収容する第１の構内交換機と、複数の第２の内線電話機を収容する第２の構内交換機と、ＩＰ電話機とがＩＰネットワークを介して接続され、第１、第２の構内交換機配下の内線電話機として動作可能な前記ＩＰ電話機から第１、第２の構内交換機配下の第１の内線電話機または第２の内線電話機に対する発信するための方法であって、前記ＩＰ電話機が具備する入力部から入力される第１の構内交換機（第２の構内交換機）を被制御構内交換機とするための切り替え操作を検出したとき、前記端末情報レコード部から第１の構内交換機（第２の構内交換機）配下の前記内線番号を読み出し具備する表示部に表示する第９のステップと、前記ＩＰアドレスレコード部から第１の構内交換機（第２の構内交換機）のＩＰアドレスを読み出し、制御信号の送信先を第１の構内交換機（第２の構内交換機）へ切り替える第１０のステップと、前記入力部による発呼操作を受け第１０のステップで切り替えた制御信号リンク介して第１の構内交換機（第２の構内交換機）の前記ＩＰアドレスと第１の構内交換機（第２の構内交換機）配下の前記内線電話機の内線番号を含む制御信号を送信する第１１のステップと、第１の構内交換機（第２の構内交換機）から受信した呼び出し中を示す制御信号のＩＰアドレスと前記ＩＰアドレスレコード部に格納されているＩＰアドレスとを照合し、受信した制御信号の送信元が第１の構内交換機（第２の構内交換機）であることを認識し、第１の構内交換機（第２の構内交換機）配下の内線電話機としての所定の処理を行い、その結果を前記端末情報レコード部に反映する第１２のステップと、第１の構内交換機（第２の構内交換機）から前記制御信号リンクを介して受信した第１の構内交換機（第２の構内交換機）配下の内線電話機の応答を示す制御信号のＩＰアドレスと前記ＩＰアドレスレコード部に格納されているＩＰアドレスとを照合し、受信した制御信号の送信元が第１の構内交換機（第２の構内交換機）であることを認識し、第１の構内交換機（第２の構内交換機）配下の内線電話機のとしての所定の処理を行い、その結果を前記端末情報レコード部に反映する第１３のステップとから成るＩＰ電話機の発呼処理を有することを特徴とする。
【００２０】
また、複数の第１の内線電話機を収容する第１の構内交換機と、複数の第２の内線電話機を収容する第２の構内交換機と、ＩＰ電話機とがＩＰネットワークを介して接続され、第１、第２の構内交換機配下の内線電話機として動作可能な前記ＩＰ電話機と第１の構内交換機（第２の構内交換機）配下の第１の内線電話機（第２の内線電話機）と通話中に、第２の構内交換機（第１の構内交換機）配下の第２の内線電話機（第１の内線電話機）からの着信を処理するための方法であって、前記ＩＰ電話機が第２の構内交換機（第１の構内交換機）から前記制御信号リンク介して受信した、第２の構内交換機（第１の構内交換機）配下の第２の内線電話機（第１の内線電話機）の発呼要求に伴う着信信号のＩＰアドレスと前記ＩＰアドレスレコード部に格納されているＩＰアドレスとを照合し、着信信号の送信元が第２の構内交換機（第１の構内交換機）であることを認識し、前記着信信号から発信元の第２の内線電話機（第１の内線電話機）の内線番号を抽出し前記端末情報レコード部を更新する第１４のステップと、呼び出し音を報音することなく具備する表示部に着信表示する第１５のステップと、具備する入力部からの保留操作を受けて通話中の第１の内線電話機（第２の内線電話機）を収容する第１の構内交換機（第２の構内交換機）配下の第１の内線電話機の内線番号として前記端末情報レコード部に保存し、前記ＩＰアドレスレコード部から読み出した第１の構内交換機（第２の構内交換機）のＩＰアドレスを付与した保留信号を前記制御信号リンクを介して第１の構内交換機（第２の構内交換機）へ送信し第１の内線電話機との通話状態を保留状態に遷移させる第１６のステップと、保留処理完了後前記表示部に保留状態である旨を表示し、前記入力部からの保留操作情報を受けて前記端末情報レコード部を更新し、前記ＩＰアドレスレコード部から読み出したＩＰアドレスを付与した制御信号を前記制御信号リンクを介して第２の構内交換機（第１の構内交換機）へ応答信号を送信し、第２の内線電話機（第１の内線電話機）との通話を確立させる第１７のステップとから成る割り込み着信処理を備えることを特徴とする。
【００２１】
【作用】
本発明によるＩＰ電話機は、構内交換機のＩＰアドレスを複数記憶するＩＰアドレスレコード部へのＩＰアドレスの登録・削除手段と、複数の構内交換機に対する構内交換機と各種制御信号の送受信を行うための制御信号リンクの接続・切断要求手段と、複数の制御信号リンクを制御するための制御手段と、通話中やトーン情報の呼状態と表示情報等のその他付加情報を端末情報として、使用する内線電話機数分保持する端末情報レコード部と、制御信号やＩＰ電話機の操作により端末情報レコード部に保持されている端末情報を適切に切り替え制御し構内交換機にＩＰ電話機の状態を通知する機能を有する。
【００２２】
構内交換機は、上記ＩＰ電話機からの制御信号リンクの接続・切断要求に従いＩＰ電話機との制御信号リンクの接続・切断制御を行う機能と、構内交換機側ないしＩＰ電話機側においてＩＰ電話機を構内交換機配下のどの内線として使用するのかを指定するための内線番号などの内線電話機としての識別情報を登録・削除、または変更・指定するための手段を有する。
【００２３】
このとき、ＩＰ電話機側で内線電話機としての識別情報を指定する場合には、この識別情報を構内交換機側に通知する手段を有する。
【００２４】
なお、制御信号リンク上でやり取りされる制御信号上には、構内交換機からＩＰ電話機に送信される情報としては、少なくとも構内交換機および内線の識別情報が必要であり、ＩＰ電話機から構内交換機に送信される情報としては、少なくとも内線の識別情報が必要となる。
【００２５】
すなわち、ＩＰ電話機は、ＩＰアドレスレコード部に構内交換機のＩＰアドレスを複数記憶し、端末情報レコード部に使用する内線電話機数分の呼状態と付加情報を端末情報として保持し、構内交換機毎に接続した複数の制御信号リンクを制御し、制御信号やＩＰ電話機の操作により端末情報レコード部の端末情報を適切に切り替え制御し構内交換機にＩＰ電話機の状態を通知する機能を有するため、複数の構内交換機にＩＰ電話機を同時に収容することが可能になる。
【００２６】
また、ＩＰ電話機の操作により端末情報レコード部に保持されている呼状態と付加情報（端末情報）を切り替えて制御することができるため、発信操作を行う場合には、使用者が意図する構内交換機配下の内線電話機として発信を行うことが可能である。
【００２７】
また、制御信号により呼状態と付加情報（端末情報）を切り替えて制御できるため、どの構内交換機配下の内線電話機として着信があるのかを判別することができる。
【００２８】
また、ＩＰ電話機の状態を構内交換機に通知する機能を有するため、ＩＰ電話機が使用中状態である場合にはこれを各構内交換機に通知することが可能である。
【００２９】
従って、一台のＩＰ電話機が複数の構内交換機配下の内線電話機として同時に運用することが可能になる。
【００３０】
【発明の実施の形態】
次に、本発明の実施の形態について図面を参照して詳細に説明する。
【００３１】
図１は本発明のＩＰ電話機による内線サービスの主要構成を示すシステムブロック図、図２は本発明のＩＰ電話機の主要構成を示すブロック図、図３は二台の構内交換機に収容されたＩＰ電話機の動作を説明するための図、図４はＩＰ電話機の内線登録処理を示すフローチャート、図５はＩＰ電話機の発信処理を示すフローチャート、図６はＩＰ電話機の着信処理を示すフローチャートである。
【００３２】
本発明のＩＰ電話機による内線サービスは、図１に示すようにＬＡＮまたはＷＡＮ等のＩＰプロトコルまたはそれに類するプロトコル群により接続されたネットワーク（１１）上に、構内交換機（１２）、（１４）とＩＰ電話機（１６）が配設され、構内交換機（１２）、（１４）にそれぞれに内線電話機（１３）、（１５）が収容されている。
【００３３】
構内交換機（１２）とＩＰ電話機（１６）および構内交換機（１３）とＩＰ電話機（１６）はそれぞれ相互接続が可能であるものとする。
【００３４】
本発明において定義されるＩＰ電話機（１６）は、図２に示すようにネットワーク（１１）に接続するために物理インタフェース部（２１）と、物理インタフェース部（２１）を制御する物理インタフェース制御部（２２）と、構内交換機とやり取りされる制御信号を処理するための制御信号処理部（２３）と、構内交換機（１２）、（１４）のＩＰアドレスを保持するための可変長のＩＰアドレスレコード部（２４）と、構内交換機（１２）、（１４）配下の内線電話機として動作するために必要となる端末情報を保持するための可変長の端末情報レコード部（２５）と、使用者に対して各種情報を知らせるための表示部（２６）と、使用者により各種情報の入力や制御操作される入力部（２７）、呼制御や音声パケット等のＩＰ電話機として動作するために必要な機能および装置をすべて備えるＩＰ電話機能部（２８）とにより構成される。
【００３５】
入力部（２７）は被制御構内交換機を切り替えるための手段を提供する。
【００３６】
制御信号処理部（２３）は、入力部（２７）により入力された被制御構内交換機の切り替え指示に従い、ＩＰアドレスレコード部（２４）と端末情報レコード部（２５）から被制御構内交換機となる構内交換機のＩＰアドレスと、被制御構内交換機となる構内交換機配下の内線電話機として動作するために必要な端末情報の読み出しと、ＩＰアドレスレコード部（２４）と端末情報レコード部（２５）への書き込みを行い、被制御構内交換機別に処理を行う。
【００３７】
ＩＰ電話機能部（２８）も同様に被制御構内交換機別に音声パケット制御や表示制御等の各種処理を行う。
【００３８】
ＩＰアドレスレコード部（２４）および端末情報レコード部（２５）は、ＩＰ電話機（１６）の属する構内交換機別に構成され、且つＩＰアドレスレコード部（２４）と端末情報レコード部（２５）は、関連付けが行なわれているので、構内交換機のＩＰアドレスから対応する端末情報を一意に求めることができる。
【００３９】
ＩＰ電話機（１６）は図３に示すように、構内交換機（１２）と構内交換機（１４）に対してそれぞれ別々の制御信号リンク（３１）、（３２）を接続し、構内交換機（１２）は制御信号リンク（３１）によりＩＰ電話機（１６）の制御を行い、構内交換機（１４）は制御信号リンク（３２）によりＩＰ電話機（１６）の制御を行う。
【００４０】
次に図４に図１、図２、図３を併せて参照し、ＩＰ電話機（１６）が二台の構内交換機（１２）、（１４）により同時の制御される場合のＩＰ電話機（１６）の動作について説明する。
【００４１】
なお、図１に示す構内交換機（１２）のＩＰアドレスを「Ｎ」、構内交換機（１４）のＩＰアドレスを「Ｍ」、構内交換機（１２）に収容された内線電話機（１３）の内線番号を「Ａ」、構内交換機（１４）に収容された内線電話機（１５）の内線番号を「Ｂ」と仮定する。
【００４２】
ＩＰ電話機（１６）をネットワーク（１１）と物理的に接続を行い、入力部（２７）により構内交換機（１２）のＩＰアドレスＮとＩＰ電話機（１６）を構内交換機（１２）においてどの内線電話機として使用するかを指定するための内線番号Ａを入力する（図４のステップＳ１０１）。
【００４３】
この操作により構内交換機（１２）のＩＰアドレスＮはＩＰ電話機（１６）のＩＰアドレスレコード部（２４）に、内線番号Ａは端末情報レコード部（２５）に保持される（Ｓ１０２）。
【００４４】
続けて構内交換機（１４）のＩＰアドレスＭと内線番号Ｂを入力する（Ｓ１０３）。
【００４５】
この操作により構内交換機（１４）のＩＰアドレスＭはＩＰ電話機（１６）のＩＰアドレスレコード部（２４）に、内線番号Ｂは端末情報レコード部（２５）にそれぞれ保持される（Ｓ１０４）。
【００４６】
この状態で続けて、入力部（２７）により構内交換機（１２）との信号リンク（３１）の接続操作を行い、制御信号処理部（２３）により構内交換機（１２）に対して接続動作を行う（Ｓ１０５）。このとき接続信号上には構内交換機（１２）のＩＰアドレスと内線番号Ａが付与されている。
【００４７】
構内交換機（１２）は、ＩＰ電話機（１６）からの接続信号に対してその正常性を確認した後、内線番号Ａに対応する構内交換機（１２）上のリソースを予約し、その結果（接続要求に対するリソースを予約した旨の情報）をＩＰ電話機（１６）へ返信する（Ｓ１０６）。
【００４８】
ＩＰ電話機（１６）はこの返信信号（リソース予約情報）を基にリソースが予約済みか否かを判定し（Ｓ１０７）、構内交換機（１２）上のリソースが予約できている場合は使用可能であることを表示部（２６）により通知し、端末情報レコード部（２５）上に内線番号Ａとしての端末制御情報を保持し、内線使用可能状態に遷移する（Ｓ１０８）。
【００４９】
ステップＳ１０７において、リソースが予約できなかった場合は使用不可能であることを表示部（２６）を使用して通知した後、ステップＳ１０５へ移行する（Ｓ１０９）。
【００５０】
続けて入力部（２７）により構内交換機（１４）との信号リンク（３２）の接続操作を行い、制御信号処理部（２３）により構内交換機（１４）に対して接続動作を行う（Ｓ１１０）。このとき接続信号上には構内交換機（１４）のＩＰアドレスと内線番号Ｂが付与されている。
【００５１】
構内交換機（１４）はＩＰ電話機（１６）からの接続信号に対してその正常性を確認した後、内線番号Ｂに対応する構内交換機（１４）上のリソースを予約し、その結果（接続要求に対するリソースを予約した旨の情報）をＩＰ電話機（１６）へ返信する（Ｓ１１１）。
【００５２】
ＩＰ電話機（１６）はこの返信信号（リソース予約情報）を基にリソースが予約済みか否かを判定し（Ｓ１０７）、構内交換機（１２）上のリソースが予約できている場合は使用可能であることを表示部（２６）により通知し、端末情報レコード部（２５）上に内線番号Ｂとしての端末制御情報を保持し、内線使用可能状態に遷移する（Ｓ１１３）。リソースが予約できなかった場合は使用不可能であることを表示部（２６）を使用して通知した後、ステップＳ１１０へ移行する（Ｓ１１４）。
【００５３】
上記の動作によりＩＰ電話機（１６）は構内交換機（１２）、（１４）配下の内線電話機として動作可能となる。
【００５４】
次に図５に図１，２，３を併せて参照し、構内交換機（１２）、（１４）配下の内線電話機として動作可能なＩＰ電話機（１６）から構内交換機（１２）配下の内線電話機（１３）に対する発信操作を行い通話状態に至るまでの動作について説明する。
【００５５】
ＩＰ電話機（１６）の入力部（２７）により構内交換機（１２）を被制御構内交換機とするための切り替え操作を行う（図５のステップＳ２０１）。
【００５６】
ＩＰ電話機能部（２８）はこの切り替え操作を検出すると、制御信号処理部（２３）へ構内交換機（１２）を被制御構内交換機とするよう切り替えを指示するとともに、端末情報レコード部（２５）上から構内交換機（１２）に該当する表示情報や呼状態、音声パケットの制御情報などの各種情報を含む端末情報を検索した後、内線番号Ａに該当するデータを読み出し、表示部（２６）に表示を行うなどの各種処理を行う（Ｓ２０２）。
【００５７】
制御信号処理部（２３）は通知された構内交換機（１２）を被制御構内交換機とするための切り替え指示に従い、ＩＰアドレスレコード部（２４）から構内交換機（１２）のＩＰアドレスを読み出すとともに、制御信号の送信先を構内交換機（１２）へと切り替える（Ｓ２０３）。
【００５８】
続けてＩＰ電話機（１６）の入力部（２７）を操作して通常の電話機と同様に発呼操作を行い、構内交換機（１２）配下の内線電話機（１３）の呼び出しを行う（Ｓ２０４）。
【００５９】
ＩＰ電話機能部（２８）は事前に行った被制御交換機切り替え動作を継続して行い、構内交換機（１２）配下の内線番号Ａの内線電話機としての各種処理を行う（Ｓ２０５）。
【００６０】
制御信号処理部（２３）も同様に構内交換機（１２）に対して発呼を示す制御信号を構内交換機（１２）を指定して物理インタフェース制御部（２２）へ引き渡す（Ｓ２０６）。
【００６１】
物理インタフェース制御部（２２）は引き渡された発呼を示す制御信号を物理インタフェース部（２１）を使用し、信号リンク（３１）により構内交換機（１２）へ送信する（Ｓ２０７）。
【００６２】
発呼を示す制御信号を受信した構内交換機（１２）は通常の呼処理を行い、内線電話機（１３）を呼び出し中を示す制御信号をＩＰ電話機（１６）へ送信する（Ｓ２０８）。
【００６３】
物理インタフェース制御部（２２）は、受信した呼び出し中を示す制御信号を制御信号処理部（２３）へ引き渡す（Ｓ２０９）。
【００６４】
制御信号処理部（２３）は受信した呼び出し中を示す制御信号のＩＰアドレスをキーとしてＩＰアドレスレコード部（２４）を検索し、構内交換機（１２）からの制御信号であることを識別した後（Ｓ２１０）、制御信号上の呼び出し中を示す情報を構内交換機（１２）配下の内線番号Ａの内線電話機としての情報としてＩＰ電話機能部（２８）へ引き渡す（Ｓ２１１）。
【００６５】
ＩＰ電話機能部（２８）は引き渡された呼び出し中を示す情報を元に構内交換機（１２）配下の内線番号Ａの内線電話機として、表示や呼状態の遷移、音声パケットの制御など各種処理を行った後（Ｓ２１１）、その状態を該当する端末情報レコード部（２５）上に反映する（Ｓ２１３）。
【００６６】
続いて構内交換機（１２）配下の内線電話機（１３）の応答により（Ｓ２１４）、構内交換機（１２）は応答を示す制御信号をＩＰ電話機（１６）へ送信し、応答を示す制御信号を受信した物理インタフェース制御部（２２）は制御信号処理部（２３）へ引き渡す（Ｓ２１５）。
【００６７】
制御信号処理部（２３）は受信した応答を示す制御信号のＩＰアドレスをキーとしてＩＰアドレスレコード部（２４）を検索し、構内交換機（１２）からの制御信号であることを識別した後（Ｓ２１６）、制御信号上の応答を示す情報を構内交換機（１２）配下の内線番号Ａの内線電話機としての情報としてＩＰ電話機能部（２８）へ引き渡す（Ｓ２１７）。
【００６８】
ＩＰ電話機能部（２８）は引き渡された情報を元に構内交換機（１２）配下の内線番号Ａの内線電話機として、表示や呼状態の遷移、音声パケットの制御など各種処理を行った後（Ｓ２１８）、その状態を該当する端末情報レコード部（２５）上に反映する（Ｓ２１９）。
【００６９】
以上の動作により、内線電話機（１３）とＩＰ電話機（１６）は通話状態となる（Ｓ２２０）。
【００７０】
次に図６に図１，２，３を併せて参照し、構内交換機（１２）（１４）配下の内線電話機として動作可能なＩＰ電話機（１６）が、構内交換機（１２）配下の内線電話機（１３）と通話状態にあるとき、ＩＰ電話機（１６）に対する構内交換機（１４）配下の内線電話機（１５）からの着信呼に応答し、内線電話機（１５）とＩＰ電話機（１６）が通話状態に至るまでの動作について説明する。
【００７１】
ＩＰ電話機（１６）が構内交換機（１２）配下の内線電話機（１３）と通話中に（図６のステップＳ３０１）、構内交換機（１４）配下の内線電話機（１５）から内線番号Ｂに対して発信を行うと（Ｓ３０２）、構内交換機（１４）はＩＰ電話機（１６）へ信号リンク（３２）を使用して内線番号Ｂを含む着信信号を送信する（Ｓ３０３）。
【００７２】
着信信号を受信した物理インタフェース制御部（２２）は制御信号処理部（２３）へ着信信号を引き渡す（Ｓ３０４）。
【００７３】
制御信号処理部（２３）は引き渡された着信信号のＩＰアドレスをキーとしてＩＰアドレスレコード部（２４）の検索を行い（Ｓ３０５）、ＩＰアドレスが一致する構内交換機（１４）からの着信信号としてＩＰ電話機能部（２８）へ引き渡す（Ｓ３０６）。
【００７４】
着信信号を引き渡されたＩＰ電話機能部（２８）は引き渡された着信信号の分析を行い、該当する内線番号Ｂを導き出し、該当する端末情報レコード部（２５）を更新する（３０７）。
【００７５】
現在の状態が構内交換機（１２）配下の内線電話機（１３）との通話状態であるため、呼び出し音を報音することなく、表示部（２６）を使用して着信を使用者に対して通知する（Ｓ３０８）。
【００７６】
次に構内交換機（１２）配下の内線電話機（１３）との通話を保留状態とするために、入力部（２７）を操作して保留操作を行う（Ｓ３０９）。
【００７７】
この保留操作によりＩＰ電話機能部（２８）では構内交換機（１２）配下の内線番号Ａとしての状態を該当する端末情報レコード部（２５）上に保存し（Ｓ３１０）、保留信号の送信を制御信号処理部（２３）へ指示する（Ｓ３１１）。
【００７８】
保留信号の送信を指示された制御信号処理部（２３）は、現在の被制御構内交換機が構内交換機（１２）であることから、ＩＰアドレスレコード部（２４）を検索し、保留信号の送信を構内交換機（１２）を指定して物理インタフェース制御部（２２）へ引き渡す（Ｓ３１２）。
【００７９】
保留信号を受信した構内交換機（１２）は、内線電話機（１３）と内線番号ＡとしてのＩＰ電話機（１３）との通話状態を保留状態へと遷移させる（３１３）。
【００８０】
保留操作を行ったＩＰ電話機（１６）は、保留処理が完了すると表示部を用いて保留状態であることを操作者に対して通知する（Ｓ３１４）。
【００８１】
続けて保留状態となったＩＰ電話機（１６）の入力部（２７）により、構内交換機（１４）配下の内線電話機（１５）からの着信呼への応答操作を行う（Ｓ３１５）。
【００８２】
応答操作を検出したＩＰ電話機能部（２８）は、被制御構内交換機の切り替えを行うとともに、該当する端末情報レコード部（２５）を更新する（Ｓ３１６）。
【００８３】
続けて制御信号処理部（２３）へ、構内交換機（１４）を被制御構内交換機とするための切り替えを通知するとともに、制御信号処理部（２３）へ応答信号の送信を指示する（Ｓ３１７）。
【００８４】
制御信号処理部（２３）は、通知された構内交換機（１４）を被制御構内交換機とするための切り替え指示に従い、ＩＰアドレスレコード部（２４）から構内交換機（１４）のＩＰアドレスを読み出すとともに、制御信号の送信先を構内交換機（１４）へと切り替える（Ｓ３１８）。
【００８５】
続けて応答信号を構内交換機（１４）を指定して物理インタフェース制御部（２２）へ引き渡す（Ｓ３１９）。
【００８６】
物理インタフェース制御部（２２）は、引き渡された応答信号を物理インタフェース部（２１）を使用し、信号リンク（３２）により構内交換機（１４）へ送信する（Ｓ３２０）。
【００８７】
構内交換機（１４）は、応答信号の受信により内線電話機（１５）と内線番号ＢとしてのＩＰ電話機（１６）との通話を確立する（Ｓ３２２）。
【００８８】
以上の動作により、内線電話機（１５）とＩＰ電話機（１６）は通話状態となる。
【００８９】
ここで、複数の構内交換機の制御下にある一台のＩＰ電話機に対して重複した呼接続処理を回避するために各構内交換機に対して行うＩＰ電話機の状態通知のタイミングおよび構内交換機におけるＩＰ電話機の管理について説明する。
【００９０】
最初に構内交換機側におけるＩＰ電話機の管理について説明する。
【００９１】
構内交換機はＩＰ電話機が他の構内交換機配下の内線電話機として動作していることに関与しない。すなわち、構内交換機が他の構内交換機配下の内線電話機の状態まで管理しない。
【００９２】
構内交換機（１２）は、ＩＰ電話機（１６）をあくまで内線番号「Ａ」の内線電話機として管理し、構内交換機（１４）も同様に、内線番号「Ｂ」の内線電話機として管理する。
【００９３】
このため、ＩＰ電話機（１６）が構内交換機（１２）配下の内線電話機と通話状態の場合、構内交換機（１２）はＩＰ電話機（１６）を通話中状態として管理する。
【００９４】
構内交換機（１２）とＩＰ電話機（１６）間でやり取りされる制御信号の内容により、構内交換機（１２）およびＩＰ電話機（１６）は内部状態を遷移させることで管理される。このとき構内交換機（１４）は、ＩＰ電話機（１６）の状態が構内交換機（１２）では通話中状態として管理されていることには全く関与しないことになる。
【００９５】
但し、ＩＰ電話機（１６）は、任意のタイミングで任意の構内交換機に対して使用中状態であるか空き状態であるかを通知することが可能である。
【００９６】
通知された内線電話機の状態（使用中状態か空き状態）は、構内交換機内部で管理している内線電話機別の状態管理レコード（図示せず）に書き込まれ、構内交換機の呼処理がこの状態管理テーブルを参照することで呼処理を規制する。
【００９７】
つまり、ＩＰ電話機（１６）が構内交換機（１２）配下の内線電話機と通話状態の場合、構内交換機（１４）に対してＩＰ電話機（１６）の状態、正確には内線番号「Ｂ」の状態を使用中状態として通知することで構内交換機（１４）配下の内線電話機が内線番号「Ｂ」を呼び出したとしても、内線番号「Ｂ」の状態は使用中となっているため、発信を行なった内線電話機はビジートーンを聞き、内線番号「Ｂ」が使用中であることを認識することができる。
【００９８】
次に構内交換機に対するＩＰ電話機の状態通知のタイミングについて説明する。
【００９９】
構内交換機に対するＩＰ電話機（１６）の状態通知のタイミングは、具備する入力部（２７）の操作により起動する。このとき構内交換機に通知されるＩＰ電話機（１６）の状態は、実際にＩＰ電話機が保持している端末情報レコード部（２５）の内容に係わらず任意の状態を通知する。
【０１００】
つまり、ＩＰ電話機（１６）の使用者が構内交換機（１２）配下の内線電話機と通話中の場合、構内交換機（１４）に対して内線番号「Ｂ」として空き状態とも使用中状態とも通知することが可能であり、これにより構内交換機（１４）配下の内線電話機は内線番号「Ｂ」を呼び出し、リングバックトーンを聞き内線番号「Ｂ」の内線電話機が応答するまで待ち続けることも、ビジートーンを聞き内線電話機「Ｂ」の内線電話機を再度呼び出すことも可能となる。
【０１０１】
また、ＩＰ電話機（１６）が保持している端末情報レコード部（２５）のすべてのレコードを検索し、有効な端末情報から呼の状態、内線電話機として使用中と判断可能な状態が存在するならば使用中状態、内線電話機として全て空き状態であれば空き状態を入力部（２７）に含まれている受話器もしくはそれに類するボタンの操作をトリガーとして構内交換機へ通知する。
【０１０２】
すなわち、ＩＰ電話機（１６）が構内交換機（１２）配下の内線電話機と通話しようとして、入力部（２７）に含まれる受話器もしくはそれに類するボタンの操作を行なった場合、ＩＰ電話機（１６）が保持している端末情報レコード部（２５）の内線番号「Ａ」の内線電話機としての状態と、内線番号「Ｂ」の内線電話機としての状態を判定し、現在発信操作を行なおうとしている状態であるため、使用中状態として構内交換機（１４）に対して通知する。
【０１０３】
ＩＰ電話機（１６）が通話を終えて、受話器もしくはそれに類するボタンの操作により切断を行うことにより、ＩＰ電話機（１６）が保持している端末情報レコード部（２５）内に内線番号「Ａ」の内線電話機としての状態と内線番号「Ｂ」の内線電話機としての状態を判定し、切断状態であるため、空き状態として構内交換機（１４）に対して通知する。
【０１０４】
以上、ＩＰプロトコルにより接続されたネットワーク（１１）上に、内線電話機（１３）を収容する構内交換機（１２）と、内線電話機（１５）を収容する構内交換機（１４）と、ＩＰ電話機（１６）が配設された構成を例に説明したが、構内交換機の台数を限定するものではなく、またＩＰ電話機の台数を限定するものではない。すなわち、構内交換機およびＩＰ電話機は任意の台数でよいことは言うまでもない。
【０１０５】
また、本機能を行うに当たり構内交換機に既存の内線電話機が収容される必要があるわけではなく、本機能を具備するＩＰ電話機のみで内線電話による音声ネットワークが構築されても構わない。これは本機能を具備するＩＰ電話機は、複数の構内交換機によって制御可能であることを除き既存の内線電話機と同様の機能を提供するためであり、既存の内線電話機が同一構内交換機に収容されることに依存しているわけではないからである。
【０１０６】
また、構内交換機が、内線番号とＩＰ電話機のＩＰアドレスのくくり付けに対して一対一のくくり付けのみを許容し登録済みのＩＰアドレスが存在したならばそのＩＰアドレスを重複して登録することは許容しない、という二つの機能制約を持たないならば、構内交換機は本機能を具備するＩＰ電話機に対して複数の内線番号を割り当てることが可能であり、ＩＰ電話機は非制御構内交換機に対して内線番号等の内線電話機を識別可能な制御信号を送信するため、一台の構内交換機は一台のＩＰ電話機を複数の内線電話機として制御することが可能である。
【０１０７】
また、先述した方式では、内線電話機の呼状態の変化が発生した際に一台の構内交換機とＩＰ電話機間の制御信号のやり取りが行われるが、このとき、ＩＰ電話機が空き状態であるか使用中状態であるかを制御信号リンクを有する全ての構内交換機に対してＩＰ電話機から通知させることで、呼状態の変化が発生していない構内交換機側でもそのＩＰ電話機に割り当てた内線番号の呼状態を変化させ、該当する内線番号が使用中か空きかをあらかじめ状態変化させておくことが可能となる。つまり呼状態の変化が発生した場合、あらかじめＩＰ電話機が空き状態であるか使用中状態かが通知されているため、該当するＩＰ電話機との制御信号のやり取りを行うことなく、呼制御を行うことが可能である。
【０１０８】
また、構内交換機の識別をＩＰアドレスにより行うのではなく、制御信号上に構内交換機を識別するためのユニークなＩＤを設けることで構内交換機の識別を行うことが可能である。
【０１０９】
また、ＩＰ電話機に設けた入力部を使用して非制御構内交換機からの制御に対する優先順位の設定を可能とし、また、その優先順位に応じてＩＰ電話機の制御信号処理部及びＩＰ電話機能部が処理の切り替えを行うことで、ＩＰ電話機の発信や着信に対して優先順位を設けることが可能である。つまり優先度の高い非制御交換機において着信が発生した場合、優先度の低い非制御交換機において通話中であったとしても、着信を割り込ませることが可能となる。
【０１１０】
また、ＩＰ電話機が、通話中などの理由により、すなわち一台の構内交換機と通信中であり、他の構内交換機に対して使用中状態であることを通知しなければならない場合、他の構内交換機と制御信号をやり取りするための通信を一時的に切断することで他の構内交換機側に使用中状態と見せることが可能である。
【０１１１】
【発明の効果】
以上説明したように本発明のＩＰ電話機による内線サービス方式とサービス方法は、複数の構内交換機と一台のＩＰ電話機をＩＰネットワークを介して接続し、ＩＰ電話機を複数の構内交換機個々の配下の内線電話機として収容する際、ＩＰ電話機から構内交換機毎に制御信号リンクを接続し、構内交換機のＩＰアドレスと、その構内交換機が収容する内線番号を指定して所望する構内交換機への切り替えを要求するので、既存の内線電話機が存在しない場合でも一台のＩＰ電話機を複数の構内交換機配下の内線電話機として使用することができる。
【０１１２】
その理由は、ＩＰ電話機が構内交換機への接続要求を既存内線電話機との切り替え要求として行わないためである。
【０１１３】
また、ＩＰ電話機側で複数の構内交換機側から制御信号リンクを介して送信される制御信号に含まれる構内交換機個々のＩＰアドレスとその構内交換機に収容されている内線番号を識別し、ＩＰアドレスレコード部、端末情報レコード部に格納されているＩＰアドレス、内線番号と照合しＩＰ電話機の接続先を指定するので、同時に複数の構内交換機配下の内線として使用することができる。
【０１１４】
その理由は、ＩＰ電話機が複数の構内交換機からの制御情報を管理するための機能を有するためである。
【０１１５】
また、ＩＰアドレスレコードに格納する複数の構内交換機のＩＰアドレスに予め優先順位を付与する共に、端末情報レコード部に格納する構内交換機が個々に収容する内線番号に予め優先順位を付与することにより、ＩＰ電話機からの発信時およびＩＰ電話機への着信時における被制御構内交換機または内線番号の切り替え制御を自動的に行うことができる。
【図面の簡単な説明】
【図１】本発明のＩＰ電話機による内線サービスの主要構成を示すシステムブロック図である。
【図２】本発明のＩＰ電話機の主要構成を示すブロック図である。
【図３】本発明の二台の構内交換機に収容されたＩＰ電話機の動作を説明するための図である。
【図４】本発明のＩＰ電話機の登録処理を示すフローチャートである。
【図５】本発明のＩＰ電話機の発信処理を示すフローチャートである。
【図６】本発明のＩＰ電話機の着信処理を示すフローチャートである。
【符号の説明】
１１    ＩＰネットワーク
１２    構内交換機
１３    内線電話機
１４    構内交換機
１５    内線電話機
１６    ＩＰ電話機
２１    物理インタフェース部
２２    物理インタフェース制御部
２３    制御信号処理部
２４    ＩＰアドレスレコード部
２５    端末情報レコード部
２６    表示部
２７    入力部
２８    ＩＰ電話機能部
３１    制御信号リンク
３２    制御信号リンク
【図１】
2004235922.tif 000003
【図２】
2004235922.tif 000004
【図３】
2004235922.tif 000005
【図４】
2004235922.tif 000006
【図５】
2004235922.tif 000007
【図６】
2004235922.tif 000008